(57)【要約】【課題】本明細書は、コンデンサユニットの備える樹脂ケースの固定が弱まることを抑制する技術を提供する。【解決手段】本明細書が開示するコンデンサユニットは、樹脂ケース４と、カラー１０を備えている。樹脂ケース４には、コンデンサ素子が収容されている。カラー１０は、樹脂ケースにインサート成形されている。そのカラー１０に、樹脂ケース４を固定するボルト１１が挿通される。カラー１０のボルト１１のヘッド側の端面が樹脂ケース４から露出しており、端面のヘッドが当接する締結座面の外側に、締結座面を一巡する溝１２が設けられている。【選択図】図２
2018120969.tif 000002
【特許請求の範囲】
【請求項１】
コンデンサ素子を収容する樹脂ケースと、
前記樹脂ケースにインサート成形されており、前記樹脂ケースを固定するボルトが挿通されるカラーと、
を備えており、
前記カラーの前記ボルトのヘッド側の端面が前記樹脂ケースから露出しており、
前記端面の前記ヘッドが当接する締結座面の外側に、前記締結座面を一巡する溝が設けられている、コンデンサユニット。
【発明の詳細な説明】
【技術分野】
【０００１】
本明細書は、コンデンサ素子を収容する樹脂ケースがボルトで筐体に固定されるコンデンサユニットを開示する。
【背景技術】
【０００２】
特許文献１に、コンデンサ素子と、コンデンサ素子を収容する樹脂ケースと、樹脂ケースを固定するボルトが挿通されるカラーと、樹脂ケースを収容する筐体と、を備えるケースモールド型コンデンサが開示されている。カラーは、樹脂ケースにインサート形成によって配設されている。樹脂ケースに配設したカラーにボルトが挿通され、そのボルトで樹脂ケースが筐体に固定される。
【先行技術文献】
【特許文献】
【０００３】
【特許文献１】特開２０１３−２１１３２５号公報
【発明の概要】
【発明が解決しようとする課題】
【０００４】
特許文献１の技術では、カラーが樹脂ケースにインサート形成される際に、インサート形成用の金型とカラーとの間に隙間が生じ、溶融樹脂が金型とカラーとの間の隙間に入り込む可能性が考えられる。金型とカラーとの間の隙間に入り込んだ溶融樹脂が、カラーの中心部付近まで到達して固化すると、樹脂ケースを外装ケースに固定する際に、カラーとボルトヘッドとの間に樹脂が挟まってしまい、ボルトによる樹脂ケースの固定が弱くなる虞がある。
【０００５】
本明細書は、コンデンサユニットの備える樹脂ケースの固定が弱まることを抑制する技術を開示する。
【課題を解決するための手段】
【０００６】
本明細書が開示するコンデンサユニットは、樹脂ケースと、カラーを備えている。樹脂ケースは、コンデンサ素子を収容する。カラーは、樹脂ケースにインサート成形されている。そのカラーに、樹脂ケースを固定するボルトが挿通される。カラーのボルトのヘッド側の端面が樹脂ケースから露出しており、カラーの端面のヘッドが当接する締結座面の外側に、締結座面を一巡する溝が設けられている。
【０００７】
上記の構成によると、カラーが樹脂ケースにインサート形成される際に、溶融樹脂が金型とカラーとの間の隙間に入り込んだとしても、溶融樹脂はカラーの端面に設けられた溝に溜まる。それゆえ、溶融樹脂がカラーの中心部付近、即ちカラーの端面とボルトのヘッドとが当接する締結座面まで到達することを抑制できる。これにより、樹脂ケースをボルトで固定する際、ボルトのヘッドとカラーの間に樹脂が挟まることが防止でき、樹脂ケースの固定が弱まることを抑制することができる。
【０００８】
本明細書が開示する技術の詳細とさらなる改良は以下の「発明を実施するための形態」にて説明する。
【図面の簡単な説明】
【０００９】
【図１】筐体に固定されたコンデンサユニットの断面図である。
【図２】図１において符号IIが示す範囲の拡大断面図である。
【図３】コンデンサユニットの締結部の上面図である。
【発明を実施するための形態】
【００１０】
図面を参照して実施例のコンデンサユニットを説明する。図１に、コンデンサユニット２の断面図を示す。コンデンサユニット２は、コンデンサ素子３と、樹脂ケース４を備えている。コンデンサユニット２は、筐体５に固定される。筐体５は、例えば、コンデンサユニット２を含む電子装置のケースである。図１では、コンデンサ素子３の内部構造は省略しており、単純なハッチングのみで示している。
【００１１】
コンデンサ素子３は、例えば、ポリプロピレンフィルム等からなる誘電体フィルムの片面または両面に金属蒸着電極を形成した金属化フィルムを一対とし、上記金属蒸着電極が誘導体フィルムを介して対向する状態で巻回して形成される。コンデンサ素子３は、Ｐ極端子６とＮ極端子７を備えている。また、コンデンサ素子３は、樹脂ケース４に収容されている。
【００１２】
樹脂ケース４内は、絶縁性のポッティング材９が充填されている。ポッティング材９は、樹脂ケース４内に収容されたコンデンサ素子３を覆うように充填されるが、図１に示すようにＰ極端子６及びＮ極端子７は、ポッティング材９から表出している。
【００１３】
また、樹脂ケース４の外側には、樹脂ケース４を筐体５に固定するための締結部８が設けられている。締結部８は、その中央部に締結用の貫通孔を有している。この貫通孔内には金属製のカラー１０がインサート形成によって配設されており、固定用のボルト１１はこのカラー１０内に挿通される。
【００１４】
筐体５は、上面開口型の金属ケースであり、内部に樹脂ケース４を収容する。筐体５には、締結台５ａが設けられており、締結台５ａの上部にはボルト係止穴が設けられている。ボルト１１をカラー１０内に挿通し、さらにボルト１１をボルト係止穴に螺合させることで、樹脂ケース４は筐体５に固定される。
【００１５】
次に、図２及び図３を参照して、本実施例に用いられるカラー１０の構成について説明する。図２は、図１のIIの点線で囲われた締結部の拡大図であり、図３は、図２に示される締結部の上面図である。なお、理解を助けるため、図２及び図３は、縦と横の縮尺を図１から変更している。
【００１６】
カラー１０は、鉄等の金属で作られた円筒部材である。カラー１０の長さは、締結部８の厚みよりもわずかに長く、カラー１０の下端部は締結部８の底面側から突出している。また、カラー１０の上端部は、ボルト１１のヘッドと当接する領域である締結座面１０ａを有する。さらに、カラー１０の上端部には、溝１２が設けられており、溝１２は、図３に示すように、締結座面１０ａの外側を一巡している。なお、図３では、理解を助けるため、溝１２をグレーで塗りつぶしてある。
【００１７】
上述のように、カラー１０は、樹脂ケース４の締結部８の貫通孔内にインサート形成される。カラー１０をインサート形成する際に、インサート形成用の金型とカラー１０との間に隙間が生じると、溶融樹脂がその隙間に入り込み、入り込んだ溶融樹脂がカラー１０の上端部の締結座面１０ａまで到達してしまう可能性がある。しかしながら、本実施例のカラーでは、カラー１０の上端部に溝１２が設けられているため、溝１２が溶融樹脂を受け止め、樹脂が締結座面１０ａまで到達することを防ぐことができる。図２及び図３の符号Ａは、インサート形成時に溝１２により受け止められた溶融樹脂が、インサート形成後に固化した様子を示している。なお、溝１２は、図２に示されるような凹型のみに限られず、樹脂を受け止められる構成であればよい。
【００１８】
また、図２に示すように、カラー１０の側面には、凹部１３が設けられている。この凹部１３により、カラー１０の周囲の樹脂の肉厚を確保することができるため、締結部８の強度を高めることができる。
【００１９】
本実施例では、樹脂ケース４の締結部８の貫通孔内にインサート形成されるカラー１０が、上端部にボルト１１のヘッドと当接する締結座面１０ａを有し、さらに、締結座面１０ａの外側を一巡する溝１２を備える。そのため、カラーを樹脂ケースにインサート形成する際に、金型とカラーとの間に隙間が生じ、溶融樹脂が金型とカラーとの間の隙間に入り込んでも、溝１２が溶融樹脂を受け止める。その結果溶融樹脂がカラーの締結座面まで到達することを抑制できる。これにより、樹脂ケースの固定が弱まることを抑制することができる。
【００２０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００２１】
２：コンデンサユニット
３：コンデンサ素子
４：樹脂ケース
５：筐体
５ａ：締結台
６：Ｐ極端子
７：Ｎ極端子
８：締結部
９：ポッティング材
１０：カラー
１０ａ：締結座面
１１：ボルト
１２：溝
１３：凹部
【図１】
2018120969.tif 000003
【図２】
2018120969.tif 000004
【図３】
2018120969.tif 000005